(57)【要約】【課題】  ティッシュボックスの置き方に関係なくティッシュペーパーの容易な取り出しを行える美観的なペーパーボックス及びペーパーボックス紙の節約を課題とした。【解決手段】  ペーパーボックス下部を上げ底状態に折り曲げることにより、形成されたペーパーボックス内に内在する、ティッシュペーパーポケット内にティッシュペーパー周囲を挟み込むことで、ペーパーボックスの持ち運び、又は、置き方に関係なく、少なくなったティッシュペーパーをペーパーボックス内に安定させティッシュペーパーの取り出しを確実に行えるようにして、上げ底状態に折り曲げることで、ペーパーボックスの形状を変化させ美観的形状を得ると共に形状の変化によりティッシュペーパー残量の目安とすることを解決手段とした。【選択図】図１
2007076660.tif 000002
【特許請求の範囲】
【請求項１】
厚紙１枚紙を折り曲げ、接着剤で貼り付けて形成されたペーパーボックスで、内部にティッシュペーパーを収容し得るよう形成し、ティッシュペーパー残量が少なった時点で、ペーパーボックス下部をミシン目及びプレス折り目により折り曲げることにより、上げ底を可能にしたペーパーボックスで、折り曲げることにより残量目安とし、又、折り曲げることにより、上げ底周囲にティッシュペーパーボケットを構成しうるペーパーボックスであり、尚且つ上面にティッシュペーパー取り出し用開口孔を設けたペーパーボックス。
【発明の詳細な説明】
【技術分野】
【０００１】
本発明は、ティッシュペーパーボックスに関するものである。
【背景技術】
【０００２】
従来から一般に使用されているティッシュペーパーボックスは、厚紙からなる本体の内部に、所定寸法で所定枚数のティッシュペーパーが上下に積層された状態で収容されており、本体の上面部中央に開口孔が形成され、該開口孔の内面には、ティッシュペーパーが外気の湿気等により変質することがなく、しかもほこり等が内部に侵入することがないようにするために、樹脂製の透明フィルムが貼り付けてある。このフィルムには、ティッシュペーパーの一部を指で摘んで数枚ずつ順に取り出すための直線状の引出口が、刃物等の切断により形成されており、該引出口から飛び出したティッシュペーパーの一部を指で摘んで取り出せる構造にしている。そしてティッシュペーパーを１枚又は２枚取り出すと、続いて次のティッシュペーパーの片面が重ね折されているが故、連れ上がり、引出口から飛び出して次の取り出しを容易に行なえるようにしている。しかしながら本体内部に収容されているティッシュペーパー残量枚数が少なくなると、ティッシュペーパーの最上面とフィルムの引出口との上下の間隔が次第に広くなり、直線状の引出口は保持力が弱く、ペーパーボックスを横、又は、立てにするなど、ペーパーボックスを動かすとティッシュペーパーを底面に保持することができずに、内部ティッシュペーパーの移動に伴い取り出し口から出ているティッシュペーパーが落下してしまう欠点があり、引出口から指を本体の内部に入れてティッシュペーパーを摘み出す必要がある故、ボックスを深くして内容量を多くすることに支障があり、現在の浅いペーパーボックスを数多く用いることで、欠点を補うこととなっていた。
【０００３】
又、下記文献の方法が考え及び施工されていた。
【特許文献１】特許公開２００２−２８２１６３
【特許文献２】特許公開２００４−２０３４８３
【特許文献３】特許公開２００２−３０２１７１
【特許文献４】特許公開２０００−５３１７６
【特許文献５】特許公開平７−３１５４５９
【特許文献６】特許公表２００３−５２０１６３
【特許文献７】登録実用新案第３０４３４２２号
【発明の開示】
【発明が解決しようとする課題】
【０００４】
ティッシュペーパーの収納量を増やすことで、従来使用していたペーパーボックスの厚紙の使用量を統合的に節約することを課題とした。
【０００５】
ペーパーボックスを深くすると、ティッシュペーパー内在枚数が増えるため残量の少なくなった時点で、ボックスの置き方により、ティッシュペーパーの取り出しが、不確実性となる課題があった。
【０００６】
ペーパーボックスを深くすると、残量目安が難しくなり不便である課題があった。又、ペーパーボックス形状が、凡庸であり美観的にも課題を要した。
【課題を解決するための手段】
【０００７】
従来のペーパーボックスの高さは（約６．５センチ）だったが、高さを約９センチにすることにより、ティッシュペーパー内容量１．３８倍に増やす事で、従来使用していた厚紙が、高さ６．５ｃｍのペーパーボックスでは５４ボックス分が、高さ９ｃｍのペーパーボックスでは３９ボックス分で済むことで、統合的な節約行うことを解決手段とした。
【０００８】
ペーパーボックスを深くする事により最大の課題となっていた、ティッシュペーパー取り出しの不安定要素解決は、上面取出し口とペーパーボックス底面に残存するティッシュペーパー間の間隔を狭くして、ティッシュペーパー重ね折りした部分を取り出し口まで、導けずに連続的に取出すのが困難となる原因となっていたが、残量が少なくなった時点で、ペーパーボックス底面を上げ底にすることにより、取り出し口とペーパーボックス底に残存するティッシュペーパーとの間隔を狭くすることで、重ね折した部分が取り出し口に近くなり、重ね折ティッシュペーパーを取り出し口に導くが故、従来同様に連続的にティッシュペーパーを取り出せると共に、折り曲げたボックス底部周囲のティッシュペーパーポケットに、ティッシュペーパーを挟み込む事で、ペーパーボックス移動時に生じる、内部ティッシュペーパー移動を防ぐことで、解決手段とした。
【０００９】
残量目安表示は、ペーパーボックス底面を、上げ底形状に折り込むことにより、ペーパーボックス外形変化で判断可能な手段とした。
【発明の効果】
【００１０】
ティッシュボックス厚紙の節約並びに、ティッシュボックス置き方を自在に使っても安定してティッシュペーパーの取出しが行えると共に、ペーパーボックスの形状変化により残量目安を行える効果がある。
【発明を実施するための最良の形態】
【００１１】
以下、図面に、基づき本発明の実施形態を詳述する。
請求項１記載発明について図を参照に説明を行う。図１は、ティッシュペーパー６が少なくなった状態のペーパーボックス１の上げ底状態の形状を表している透視図であるが、重なり代及びティッシュペーパー６は、1図、2図共に、図が煩雑になるために省略している。図２は、ティッシュペーパー６未使用もしくは、使用初期段階のペーパーボックス１透視図である。図３は、一般的な取り出し口を設けた上面図で、図４は正面及び背面図で、折り曲げ線３を表している。図５は、両側面図であり、図４同様に折り曲げ腺３を表している。図６は、Ａ−Ａ断面図でペーパーボックス１の下部を折り曲げた、上げ底状態のペーパーボックス１内に内在するティッシュペーパー６の形態と共に、ティッシュペーパーポケット７の状態を表し、ティッシュペーパー６取出し口２より取り出し中ティッシュペーパー６aの状態を示している。図７は、底面図であり、折り曲げ線３を表している。図８は、上げ底ボックス展開図で、一枚紙より製作されることを示し、折り目曲げ線３及び３aと、糊付け位置を表しているものであり、折り曲げ線３及び３aは、ミシン目及びプレス線折り目でも可能である。
【実施例】
【００１２】
本発明ティッシュペーパーボックスは、未使用及び使用初期段階では、図２で示すペーパーボックス１は、図８で示すペーパーボックス本体折り曲げ線３aに従いペーパーボックス１を作成するものであるが、使用残量の少なくなったティッシュペーパー６を、途切れなく取り出すために図１及び図７で示すように、ペーパーボックス１下部を図1で示すように折り曲げ線３に従い折り曲げてペーパーボックス１の上げ底面５をティッシュペーパー取り出し口２に近づけて、ティッシュペーパー６が途切れなく取り出せるようにしたものであり、折り曲げ線３を図１で示すように折り曲げることにより、上げ底面５の周囲に図1、図7、で示すティッシュペーパーポケット７が作られる。
【００１３】
ティッシュペーパーポケット７にティシュペーパー６の周囲が必然的に内在することにより、ペーパーボックス１を横、若しくは立てにしてもペーパーボックス１内にあるティッシュペーパー６が、ペーパーボックス１内部で、移動することなく安定することによりティッシュペーパー６の取出しを行えるものであり、使用状況に制限されることなくティッシュペーパー６の取り出しが可能である。又、上げ底ペーパーボックス１（図1）として使用している際に、ペーパーボックス１の外形が変化して美観的にも、残量目安にも有効である。
【００１４】
化粧箱に入れて使用する際にペーパーボックス１を上げ底にしても高さの変化は少なく、外形が元の形状より大きくならないので、化粧箱使用に際しても問題が無ない。
【００１５】
紙節約に対する説明を行う。上面及び底面は面積を同じであるからにして、問題は高さに対してティッシュペーパー６の内容量が決まることになるが故、高さを主に計算すると、６．５ｃｍと、９ｃｍの最小公約数は、３５１ｃｍとなる。３５１センチ基準に以下のように計算比較する。３５１÷６．５ｃｍ＝５４ペーパーボックス１分となり、５４ペーパーボックス１分の紙使用面積は６４１１１平方ｃｍであり、高さ９センチの場合では、３５１÷９＝３９ペーパーボックス１となり３９ペーパーボックス１分の使用紙面積は５６４６７平方センチで、その差は１５ペーパーボックス１分であり、約１２％節約行えることになる。各ペーパーボックス１の面積は実測で出してある。以上の略式計算により明らかであるが故、ペーパーボックス１の紙使用量節約となるため合理性を兼ね備えていることにより産業上有効利用できるものである。
【産業上の利用可能性】
【００１６】
紙資源及びペーパーボックス製造コスト節約
【図面の簡単な説明】
【００１７】
【図１】ペーパーボックス底上げ状態透視図
【図２】ペーパーボックス透視図
【図３】上面図
【図４】正面及び背面図
【図５】左右側面図
【図６】底面図
【図７】Ａ―Ａ断面図
【図８】ペーパーボックス展開図
【符号の説明】
【００１８】
１    ペーパーボックス
２    ティッシュペーパー取り出し口
２a   取り出し口開封穴
３    折り曲げ線
３a   ペーパーボックス本体折り曲げ線
４    ペーパーボックス外線
５    上げ底面
６    ティッシュペーパー
６a   取り出し中ティッシュペーパー
７    ティッシュペーパーポケット
【図１】
2007076660.tif 000003
【図２】
2007076660.tif 000004
【図３】
2007076660.tif 000005
【図４】
2007076660.tif 000006
【図５】
2007076660.tif 000007
【図６】
2007076660.tif 000008
【図７】
2007076660.tif 000009
【図８】
2007076660.tif 000010